(57)【要約】【課題】  焦点検出装置の小型化を図りながら焦点検出能力および検出精度の向上を図る。【解決手段】  対物レンズの射出瞳面上の異なる領域（１１ａ，１１ｂ）、（１１ｃ，１１ｄ）を通過した被写体からの対の焦点検出用光束を用いて焦点検出光学系によりイメージセンサー１９の受光面上に対の被写体二次像を結像し、対の被写体二次像の位置関係に基づいて対物レンズの焦点調節状態を検出する焦点検出装置において、予定焦点面上の撮影画面内に設定された複数の焦点検出領域Ａ１〜Ａ３の内の特定の焦点検出領域Ａ１に対して、その焦点検出領域Ａ１に対応する焦点検出光学系の対の再結像レンズ１７ａからイメージセンサー１９の対の受光面１９ａまでの間に、第１反射面と第２反射面とを有する光偏向部材１８を設置して光路長を長くする。【選択図】  図３ 
2005099293.tif 000002
【特許請求の範囲】
【請求項１】
対物レンズの射出瞳面上の異なる領域を通過した被写体からの対の焦点検出用光束を用いて焦点検出光学系によりイメージセンサーの受光面上に対の被写体二次像を結像し、これらの対の被写体二次像の位置関係に基づいて前記対物レンズの焦点調節状態を検出する焦点検出装置において、
予定焦点面上の撮影画面内に設定された複数の焦点検出領域の内の特定の焦点検出領域に対して、その焦点検出領域に対応する前記焦点検出光学系の対の再結像レンズから前記イメージセンサーの対の受光面までの間に、第１反射面と第２反射面とを有する光偏向部材を設置して光路長を長くすることを特徴とする焦点検出装置。
【請求項２】
請求項１に記載の焦点検出装置において、
前記光偏向部材の前記第１反射面と前記第２反射面とを平行にして、前記イメージセンサーの対の受光面上に結像される対の被写体二次像の受光面の並び方向と垂直な方向へのずれを防止することを特徴とする焦点検出装置。
【請求項３】
請求項１に記載の焦点検出装置において、
前記光偏向部材の前記第１反射面に対して前記第２反射面を傾けて前記対の再結像レンズの並び誤差を軽減することを特徴とする焦点検出装置。
【請求項４】
請求項１〜３のいずれかの項に記載の焦点検出装置において、
前記再結像レンズと前記光偏向部材とを一体成形することを特徴とする焦点検出装置。
【請求項５】
請求項１〜４のいずれかの項に記載の焦点検出装置において、
前記特定の焦点検出領域に対応する前記射出瞳面上の異なる領域どうしの間隔を、他の焦点検出領域に対応する前記射出瞳面上の異なる領域どうしの間隔よりも長くすることを特徴とする焦点検出装置。
【発明の詳細な説明】
【技術分野】
【０００１】
本発明は、対物レンズの射出瞳を複数の領域に分割し、各領域を通過する光束を用いて複数対の光量分布を形成し、対の光量分布の互いの位置関係を求めることによって、対物レンズの焦点調節状態を検出する焦点検出装置に関する。
【背景技術】
【０００２】
撮影画面内の複数の焦点検出領域において、対物レンズの焦点調節状態を検出するようにした焦点検出装置が知られている。（例えば、特許文献１参照）。
【０００３】
この出願の発明に関連する先行技術文献としては次のものがある。
【特許文献１】特開２００２−１７４７６６号公報
【発明の開示】
【発明が解決しようとする課題】
【０００４】
ところで、上述した従来の焦点検出装置では、予定焦点面上に結像する被写体像と、イメージセンサー受光面上に結像する焦点検出光学系の被写体二次像とを比較すると、前者に対する後者の倍率はどの焦点検出領域でもほぼ同一である。この倍率は、イメージセンサー受光面と焦点検出光学系の再結像レンズおよびコンデンサーレンズとの光学的位置関係により決まる。例えば、３５ｍｍ自動焦点一眼レフカメラの焦点検出装置の倍率は−０．３程度が一般的である。
【０００５】
焦点検出装置におけるこの倍率の絶対値が小さいほど、イメージセンサー受光部を小型化できる利点があるが、イメージセンサーの画素ピッチ当たりの被写体二次像の大きさが小さくなるので、細かい被写体パターンに対する焦点検出能力が低くなるという欠点がある。また、再結像レンズをはじめ、焦点検出光学系の各部品の製造誤差や組み立て誤差、あるいは調整誤差に対してより敏感になり、わずかな誤差で焦点検出精度が低下するという欠点もある。
逆に、焦点検出装置における倍率の絶対値が大きいほど、微細な被写体パターンに対する焦点検出能力が高くなり、製造誤差、組み立て誤差および調整誤差による焦点検出精度の低下が少なくなる利点があるが、イメージセンサー受光面が大きくなるので焦点検出装置が大型になるという欠点がある。
つまり、焦点検出装置の小型化と焦点検出能力および検出精度の向上とを両立させるのは難しいという問題がある。
【課題を解決するための手段】
【０００６】
（１）  請求項１の発明は、対物レンズの射出瞳面上の異なる領域を通過した被写体からの対の焦点検出用光束を用いて焦点検出光学系によりイメージセンサーの受光面上に対の被写体二次像を結像し、これらの対の被写体二次像の位置関係に基づいて対物レンズの焦点調節状態を検出する焦点検出装置において、予定焦点面上の撮影画面内に設定された複数の焦点検出領域の内の特定の焦点検出領域に対して、その焦点検出領域に対応する焦点検出光学系の対の再結像レンズからイメージセンサーの対の受光面までの間に、第１反射面と第２反射面とを有する光偏向部材を設置して光路長を長くする。
（２）  請求項２の焦点検出装置は、光偏向部材の第１反射面と第２反射面とを平行にして、イメージセンサーの対の受光面上に結像される対の被写体二次像の受光面の並び方向と垂直な方向へのずれを防止する。
（３）  請求項３の焦点検出装置は、光偏向部材の第１反射面に対して第２反射面を傾けて対の再結像レンズの並び誤差を軽減する。
（４）  請求項４の焦点検出装置は、再結像レンズと光偏向部材とを一体成形したものである。
（５）  請求項５の焦点検出装置は、特定の焦点検出領域に対応する射出瞳面上の異なる領域どおしの間隔を、他の焦点検出領域に対応する射出瞳面上の異なる領域どうしの間隔よりも長くするようにしたものである。
【発明の効果】
【０００７】
（１）  請求項１の発明によれば、特定の焦点検出領域、例えば一般的に重要度の高い撮影画面中央の焦点検出領域において、焦点検出光学系の倍率の絶対値を大きくして焦点検出能力と検出精度の向上を図りながら、焦点検出装置の大型化、複雑化を避けることができる。つまり、焦点検出装置の小型化と焦点検出能力および検出精度の向上とを両立させることが可能になる。
（２）  請求項２の発明によれば、イメージセンサーの対の受光面上に結像される対の被写体二次像の受光面の並び方向と垂直な方向へのずれを防止することができる。
（３）  請求項３の発明によれば、対の再結像レンズの並び誤差を軽減することができる。
（４）  請求項４の発明によれば、製造工数、組立工数、調整工数を削減することができる。
（５）  請求項５の発明によれば、特定の焦点検出領域における焦点検出精度を他の焦点検出領域よりも高くすることができる。
【発明を実施するための最良の形態】
【０００８】
《第１の実施の形態》
図１は、第１の実施の形態の焦点検出装置を備えた一眼レフ自動焦点調節カメラの横断面図を示す。被写体からの光束は、カメラ本体１に装着されたレンズ鏡筒２の対物レンズ３を透過し、メインミラー４でその一部が反射され、他の一部が透過する。メインミラー４で反射された被写体からの光束は、ペンタダハプリズム５および接眼レンズ６を透過して撮影者の目へ導かれる。
【０００９】
一方、メインミラー４を透過した被写体からの光束はサブミラー７により反射され、カメラ本体１の底面方向へ偏向される。カメラ本体１の底面には、対物レンズ３の焦点調節状態を検出するための焦点検出モジュール８が設置されている。なお、撮影時はメインミラー４とサブミラー７が光路から退避され、被写体からの光束は撮影画面（フィルム面）９へ導かれ、被写体像が結像される。
【００１０】
図２は第１の実施の形態の撮影画面９に設定された複数の焦点検出領域を示す。この第１の実施の形態では、撮影画面９の中央にあって水平方向に延びる焦点検出領域Ａ１と、撮影画面９の左右周辺部にあって垂直方向に延びる焦点検出領域Ａ２、Ａ３との合計３個の焦点検出領域を設定した例を示す。なお、中央の焦点検出領域Ａ１の幅は左右周辺部の焦点検出領域Ａ２、Ａ３の幅よりも狭くなっている。
【００１１】
図３は、第１の実施の形態の焦点検出装置が組み込まれた一眼レフ自動焦点調節カメラの内部を示す斜視図である。被写体からの光は、対物レンズ３（図１参照）の射出瞳面１１を通り、対物レンズ３の光軸１２に沿って対物レンズ３およびメインミラー４を透過し、サブミラー７により反射されて焦点検出モジュール８（図１参照）へ導かれる。なお、対物レンズ３の射出瞳面１１の対の領域１１ａと１１ｂは、撮影画面９の中央の焦点検出領域Ａ１に対応し、領域１１ｃと１１ｄは撮影画面９の左右周辺部の焦点検出領域Ａ２とＡ３に対応する。
【００１２】
焦点検出モジュール８には、サブミラー７に近い方から順に視野マスク１３、コンデンサーレンズ１４、折り曲げミラー１５、絞りマスク１６、再結像レンズ１７、プリズム１８およびイメージセンサー１９が配置されている。なお、視野マスク１３の近傍には、撮影画面９と光学的に等価な予定焦点面が形成される。
【００１３】
視野マスク１３には、焦点検出領域Ａ１、Ａ２、Ａ３を規定するための視野開口部１３ａ、１３ｂ、１３ｃが設けられている。また、コンデンサーレンズ１４は焦点検出領域Ａ１、Ａ２、Ａ３に対応するレンズ部１４ａ、１４ｂ、１４ｃを備えている。さらに、折り曲げミラー１５は光軸１２を偏向させ、これによりカメラ本体１の底部の高さを低くしてカメラの小型化を図っている。
【００１４】
絞りマスク１６には、焦点検出領域Ａ１、Ａ２、Ａ３に対応する対の絞り開口部１６ａ、１６ｂ、１６ｃが設けられている。また、再結像レンズ１７は焦点検出領域Ａ１、Ａ２、Ａ３に対応する三対の再結像レンズ片１７ａ、１７ｂ、１７ｃを備えている。プリズム１８については後述する。イメージセンサー１９は焦点検出領域Ａ１、Ａ２、Ａ３に対応する受光部１９ａ、１９ｂ、１９ｃを備えている。
【００１５】
図４は、図３のＸ〜Ｘ断面図である。この図４により、プリズム１８の作用を説明する。プリズム１８は、図３に示すように、再結像レンズ１７の中央の対のレンズ片１７ａの後方に設置される。プリズム１８はレンズ片１７ａを透過した被写体光を偏向させる光偏向部材であり、プラスチックの一体成型により製造される。
【００１６】
また、プリズム１８はいわゆる潜望鏡型光学系であり、再結像レンズ１７の中央の対のレンズ片１７ａを透過した光束は入射面１８ａからプリズム１８に入射し、第１反射面１８ｂで反射され、次に第２反射面１８ｃで反射されて出射面１８ｄから出射する。出射した光束はイメージセンサー１９の中央の受光部１９ａへ導かれる。なお、プリズム１８の入射面１８ａの入射部と出射面１８ｄの出射部とを除く他の面は、迷光予防のために遮光性塗料で塗装されている。
【００１７】
プリズム１８は、撮影画面９の中央の焦点検出領域Ａ１の焦点検出用光束のみに作用し、左右周辺部の焦点検出領域Ａ２およびＡ３の焦点検出用光束には作用しないので、中央の再結像レンズ片１７ａから中央のイメージセンサー受光部１９ａへ至る光路長は、左右周辺部の再結像レンズ片１７ｂ、１７ｃから左右周辺部のイメージセンサー受光部１９ｂ、１９ｃへ至る光路長よりも長くなる。
【００１８】
このため、再結像レンズ１７の三対のレンズ片１７ａ、１７ｂ、１７ｃの曲率は、それぞれの光路長に応じてイメージセンサー受光部１９ａ、１９ｂ、１９ｃに適正な二次像が結像されるように設定される。
【００１９】
この第１の実施の形態では、中央の再結像レンズ片１７ａから中央のイメージセンサー受光部１９ａへ至る光路長を、左右周辺部の再結像レンズ片１７ｂ、１７ｃから左右周辺部のイメージセンサー受光部１９ｂ、１９ｃへ至る光路長よりも長くしたので、撮影画面中央の焦点検出領域Ａ１に対する焦点検出光学系の再結像レンズから二次像までの光路長が、撮影画面左右周辺部の焦点検出領域Ａ２、Ａ３に対する焦点検出光学系の再結像レンズから二次像までの光路長よりも長くなる。
【００２０】
この結果、予定焦点面上に結像する被写体像に対するイメージセンサー受光面上に結像する被写体二次像の倍率において、撮影画面中央の焦点検出領域Ａ１に対する焦点検出光学系の倍率の絶対値は、撮影画面左右周辺部の焦点検出領域Ａ２、Ａ３に対する焦点検出光学系の倍率の絶対値より、上記光路長が長くなった分だけ大きくなる。
【００２１】
上述したように、焦点検出光学系における倍率の絶対値が大きいほど、微細なパターンに対する焦点検出能力が高くなり、製造誤差、組み立て誤差、調整誤差による焦点検出精度の低下が少なくなるから、撮影画面中央の焦点検出領域Ａ１では、撮影画面左右周辺部の焦点検出領域Ａ２、Ａ３よりも焦点検出能力と検出精度が向上する。
【００２２】
反面、撮影画面中央の焦点検出領域Ａ１では、焦点検出光学系の光路長が長くなって倍率の絶対値が大きくなった分だけ、イメージセンサー受光面が大きくなる。しかし、図３に示すように、イメージセンサー１９において中央の受光部１９ａの長さが長くなっても、左右周辺部の受光部１９ｂ、１９ｃの長さは変わらないので、イメージセンサー１９全体の大きさが先行技術によるものと比べて大きくなることはない。
【００２３】
このように、この第１の実施の形態によれば、一般的に重要度の高い撮影画面中央の焦点検出領域において、焦点検出光学系の倍率の絶対値を大きくして焦点検出能力と検出精度の向上を図りながら、焦点検出装置の大型化、複雑化を避けることができる。つまり、焦点検出装置の小型化と焦点検出能力および検出精度の向上とを両立させることが可能になる。
【００２４】
一方、第１の実施の形態では、上述したように、対物レンズ３の射出瞳面１１の対の領域１１ａと１１ｂが撮影画面９の中央の焦点検出領域Ａ１に対応し、領域１１ｃと１１ｄが撮影画面９の左右周辺部の焦点検出領域Ａ２とＡ３に対応する。ここで、対の領域１１ａと１１ｂの光軸１２からの距離は、対の領域１１ｃと１１ｄの光軸１２からの距離よりも長い。したがって、中央の焦点検出領域Ａ１では、対物レンズ３の射出瞳の中心より遠い領域１１ａ、１１ｂを通過した光束を用いて焦点検出を行うので、左右周辺部の焦点検出領域Ａ２、Ａ３よりも焦点検出精度が高くなる。加えて、中央の焦点検出検出領域Ａ１では、上述したようにプリズム１８により光路長を長くして被写体二次像の倍率（絶対値）を大きくするので、さらに焦点検出精度が高くなる。
【００２５】
ところで、対の再結像レンズ片を透過した焦点検出用光束によるイメージセンサー受光部上の二次像が、受光部の並び方向と垂直な方向にずれると、受光部で検出する被写体二次像の一致性が悪くなり、精度に悪影響を及ぼす。一実施の形態のプリズム１８によるこのようなズレを防ぐには、第１反射面１８ｂと第２反射面１８ｃとを平行に形成すればよい。
【００２６】
また逆に、再結像レンズの金型におけるレンズ片の並び誤差による上記ずれを、一実施の形態のプリズム１８によって相殺または軽減することもできる。具体的には、第１反射面１８ｂに対して第２反射面１８ｃを再結像レンズ片の並び誤差に対応した角度だけ傾けることによって実現できる。このとき、第１反射面１８ｂと第２反射面１８ｃとの平行からわずかにずらした面の測定は、オートコリメーターなどにより比較的容易に、しかも高精度に行えるので、測定結果をフィードバックして比較的容易に所望の傾き面が得られる金型を製作することができる。
【００２７】
《第２の実施の形態》
上述した第１の実施の形態では再結像レンズ１７とプリズム１８とを別個に製作した例を示したが、再結像レンズにプリズムを組み込んで一体成形した第２の実施の形態を説明する。なお、再結像レンズとプリズム部分以外の構成については上述した第１の実施の形態の構成と同様であり、相違点を中心に説明する。
【００２８】
図５はプリズムを組み込んだ再結像レンズ２０の断面図である。再結像レンズ２０は、第１の実施の形態のプリズムを組み込んで一体成形したプラスチック成型品である。再結像レンズ２０の撮影画面中央の焦点検出領域Ａ１に対応する対のレンズ片２０ａと反対側の面には第１反射面２０ｂが形成され、この第１反射面２０ｂと対応する面には第２反射面２０ｃが形成される。絞りマスク１６の絞り開口部１６ａを通り、対のレンズ片２０ａから入射した焦点検出用光束は、第１反射面２０ｂで反射され、さらに第２反射面２０ｃで反射されて出射面２０ｄから出射する。
【００２９】
この第２の実施の形態によれば、上述した第１の実施の形態と同様な効果が得られる上に、プリズムを再結像レンズに組み込んで一体成形品としたので、製造工数、組立工数、調整工数を削減することができる。
【００３０】
《第３の実施の形態》
図６に示すように、撮影画面９にＢ１〜Ｂ６の焦点検出領域を設定した場合の第３の実施の形態を説明する。この第３の実施の形態では、上述した第２の実施の形態と同様にプリズムを再結像レンズに組み込んで一体成形した例を示す。
【００３１】
図７は第３の実施の形態の再結像レンズを絞りマスク側から見た図、図８は第３の実施の形態の再結像レンズをイメージセンサー側から見た図、図９は図８のＹ〜Ｙ断面図である。再結像レンズ２１は、焦点検出領域Ｂ１〜Ｂ６に対応してレンズ片２１ａ、２１ｂ、２１ｃ、２１ｄ、２１ｅ、２１ｆ、２１ｇ、２１ｈ、２１ｉ、２１ｊ、２１ｋ、２１ｌを備えている。
【００３２】
再結像レンズ２１はまた、図８に示すように再結像レンズ片２１ａ、２１ｂの反対側の面にプリズム２１ｒ、２１ｑが形成されている。なお、再結像レンズ片２１ａ、２１ｂは焦点検出領域Ｂ１に対応するレンズ片である。再結像レンズ片２１ａ、２１ｂから入射した焦点検出用光束は第１反射面２１ｎ、２１ｍで反射され、次に第２反射面２１ｐ、２１oで反射されて出射面２１ｔ、２１ｓから出射する。
【００３３】
プリズム２１ｑと２１ｒは離れて配置されており、第１反射面２１ｍと２１ｎ、第２反射面２１oと２１ｐはそれぞれつながっていないが、対応する金型の面を同時に研削して正確に第１反射面どおし、第２反射面どうしを同一平面とすることができる。
【００３４】
この第３の実施の形態によれば、重要度の高い撮影画面中央の焦点検出領域Ｂ１において、焦点検出光学系の倍率の絶対値を大きくして焦点検出能力と検出精度の向上を図りながら、焦点検出装置の大型化、複雑化を避けることができる。つまり、焦点検出装置の小型化と焦点検出能力および検出精度の向上とを両立させることが可能となる。
【００３５】
また、この第３の実施の形態ではプリズムを再結像レンズに組み込んた一体成形品としたので、製造工数、組立工数、調整工数を削減することができる。
【００３６】
なお、対物レンズの射出瞳面において、重要な撮影画面中央の焦点検出領域Ｂ１に対応する対の領域の光軸からの距離を、他の焦点検出領域Ｂ２〜Ｂ６に対応する対の領域の光軸からの距離よりも長くすることによって、焦点検出領域Ｂ１における焦点検出精度をさらに向上させることができる。
【００３７】
特許請求の範囲の構成要素と一実施の形態の構成要素との対応関係において、プリズム１８、２１ｑ、２１ｒが光偏向部材を構成する。なお、本発明の特徴的な機能を損なわない限り、各構成要素は上記構成に限定されるものではない。
【００３８】
このように、一実施の形態によれば、対物レンズ３の射出瞳面上の異なる一対の領域（１１ａ，１１ｂ）、（１１ｃ，１１ｄ）を通過した被写体からの対の焦点検出用光束を用いて焦点検出光学系によりイメージセンサー１９の受光面上に対の被写体二次像を結像し、これらの対の被写体二次像の位置関係に基づいて対物レンズ３の焦点調節状態を検出する焦点検出装置において、予定焦点面上の撮影画面内に設定された複数の焦点検出領域Ａ１〜Ａ３の内の特定の焦点検出領域Ａ１に対して、その焦点検出領域Ａ１に対応する焦点検出光学系の対の再結像レンズ１７ａからイメージセンサー１９の対の受光面１９ａまでの間に、第１反射面１８ａ（または２０ｂまたは２１ｍ，２１ｎ）と第２反射面１８ｂ（または２０ｃまたは２１o，２１ｐ）とを有するプリズム１８（または２０または２１ｑ，２１ｒ）を設置して光路長を長くした。
これにより、特定の焦点検出領域、例えば一般的に重要度の高い撮影画面中央の焦点検出領域において、焦点検出光学系の倍率の絶対値を大きくして焦点検出能力と検出精度の向上を図りながら、焦点検出装置の大型化、複雑化を避けることができる。つまり、焦点検出装置の小型化と焦点検出能力および検出精度の向上とを両立させることが可能になる。
【００３９】
また、一実施の形態によれば、プリズム１８（または２０または２１ｑ，２１ｒ）の第１反射面１８ａ（または２０ｂまたは２１ｍ，２１ｎ）と第２反射面１８ｂ（または２０ｃまたは２１o，２１ｐ）とを平行にしたので、イメージセンサー１９の対の受光面１９ａ上に結像される対の被写体二次像の受光面の並び方向と垂直な方向へのずれを防止することができる。
【００４０】
さらに、一実施の形態によれば、プリズム１８（または２０または２１ｑ，２１ｒ）の第１反射面１８ａ（または２０ｂまたは２１ｍ，２１ｎ）に対して第２反射面１８ｂ（または２０ｃまたは２１o，２１ｐ）を傾けて対の再結像レンズ１７ａの並び誤差を軽減することができる。
【００４１】
さらにまた、一実施の形態によれば、特定の焦点検出領域Ａ１に対応する射出瞳面上の異なる領域１１ａと１１ｂの間隔を、他の焦点検出領域Ａ２、Ａ３に対応する射出瞳面上の異なる領域１１ｃと１１ｄの間隔よりも長くしたので、特定の焦点検出領域Ａ１における焦点検出精度を他の焦点検出領域よりも高くすることができる。
【００４２】
なお、撮影画面内の焦点検出領域の個数と配置については、上述した一実施の形態の個数と配置に限定されるものではない。
【図面の簡単な説明】
【００４３】
【図１】第１の実施の形態の焦点検出装置を備えた一眼レフ自動焦点調節カメラの断面図である。
【図２】第１の実施の形態の撮影画面に設定された複数の焦点検出領域を示す図である。
【図３】第１の実施の形態の焦点検出装置が組み込まれた一眼レフ自動焦点調節カメラの内部を示す斜視図である。
【図４】図３のＸ〜Ｘ断面図である。
【図５】第２の実施の形態のプリズムを組み込んだ再結像レンズの断面図である。
【図６】第３実施の形態の撮影画面に設定された複数の焦点検出領域を示す図である。
【図７】第３の実施の形態の再結像レンズを絞りマスク側から見た図である。
【図８】第３の実施の形態の再結像レンズをイメージセンサー側から見た図である。
【図９】図８のＹ〜Ｙ断面図である。
【符号の説明】
【００４４】
１  カメラ本体
２  レンズ鏡筒
３  対物レンズ
４  メインミラー
５  ペンダダハプリズム
６  接眼レンズ
７  サブミラー
８  焦点検出モジュール
９  撮影画面
１１  射出瞳
１１ａ、１１ｂ、１１ｃ、１１ｄ  領域
１２  光軸
１３  視野マスク
１３ａ、１３ｂ、１３ｃ  視野開口部
１４  コンデンサーレンズ
１４ａ、１４ｂ、１４ｃ  レンズ部
１５  折り曲げミラー
１６  絞りマスク
１６ａ、１６ｂ、１６ｃ  絞り開口部
１７  再結像レンズ
１７ａ、１７ｂ、１７ｃ  レンズ片
１８  プリズム
１９  イメージセンサー
１９ａ、１９ｂ、１９ｃ  受光部
２０  再結像レンズ
２０ａ  撮影画面中央の再結像レンズ片
２０ｂ  第１反射面
２０ｃ  第２反射面
２０ｄ  出射面
２１  再結像レンズ
２１ａ〜２１ｌ  焦点検出および領域
Ａ１〜Ａ３、Ｂ１〜Ｂ６  焦点検出領域
【図１】
2005099293.tif 000003
【図２】
2005099293.tif 000004
【図３】
2005099293.tif 000005
【図４】
2005099293.tif 000006
【図５】
2005099293.tif 000007
【図６】
2005099293.tif 000008
【図７】
2005099293.tif 000009
【図８】
2005099293.tif 000010
【図９】
2005099293.tif 000011